(57)【要約】      （修正有）【課題】簡単に，安全に，経済的に使用できるとともに，自由に開閉する支脚部を設けることにより，任意の傾きでスタンドを立てることができる，紙質又は樹脂膜片等の板状材を使用した，軽くて丈夫な二重補助支脚式簡易スタンドを提供する。【解決手段】厚めと薄めの，少なくとも４枚の紙質又は樹脂膜片等の板状材を貼り合わせて作る，自由に開閉角度を調節できる支脚部及び内蔵式の二重補助支脚を設けた簡易スタンドである。１は、台紙、２は、支脚部（スタンド）３は、補助支脚部（逆Ｖ字型）４は、補助支脚部（Ｍ字型）である。この簡易スタンドの前面に，さらに，表示窓付きのフレ−ムを貼りつけたり，透明樹脂板を取りつけたりすることにより，各種のスタンドとして使用することも可能である。【選択図】図３
0003112973.tif 000002
【実用新案登録請求の範囲】
【請求項１】
厚めと薄めの，少なくとも４枚の紙質又は樹脂膜片等の板状材を貼り合わせて作る開脚可能な支脚部を設けた簡易スタンドであり，
（１）表表紙にするための厚めの台紙及び開脚可能な支脚部を形成するための当該台紙の高さと同等の長さを有し横幅の狭い長方形の厚めの板状材並びに補助支脚部を形成するための支脚部と同じ大きさの薄めの板状材で構成する。
（２）これらの板状材のうち，少なくとも１枚は，表表紙として使用し，厚めで横幅の狭い少なくとも１枚は支脚部として使用し，また残る薄めの横幅の狭い２枚は，中間部で二つ折り及び三つ折りにし，下端部で支脚部及び台紙に接合することにより，内蔵式の二重構造の補助支脚部を形成し，必要角度での開脚の保持，一定角度以上の開脚の防止等の補助的な支脚部の役割を担わせる。
以上の構成からなる内蔵式の二重構造の補助支脚部を有した簡易スタンド。
【請求項２】
請求項１記載の長方形の紙質又は樹脂膜片等の板状材において，
（１）少なくとも１枚は，表表紙の役割を担う台紙として使用する。
（２）厚めの横幅の狭い少なくとも１枚は，全体長の下からおおよそ５分の３の部分を支脚部として使用するため糊付けすることなく，上方のおおよそ５分の２の部分は，台紙に貼りつけるための糊代とする。
（３）薄めの横幅の狭い２枚は，支脚部の強度を支えるための内蔵式の補助支脚部とし，うち１枚は，全体長の２分の１の部分で二つ折りにすることにより，逆Ｖ字型となった帯状の板について，両側面の外側部分を台紙及び支脚部と接合するため，両側面の下からおおよそ３分の２の部分を糊代として使用し，片側は，支脚部として使用する板状材に貼りつけ，片側は，台紙に貼りつける。
また，残る１枚は，全体長の２分の１の部分で二つ折りにし，さらにそれぞれを３分の１の部分で折り返すことにより，Ｍ字型となった帯状の板について，逆Ｖ字型となった帯状の板に下部を揃えて貼りつける。
以上の構成からなる，台紙と支脚部で形成される支脚部の折曲部分周辺において，糊付けされない遊びの空間が生じることによりできる，丈夫でしなやかな二重補助支脚部を設けたことを特徴とする請求項１記載の簡易スタンド。
【考案の詳細な説明】
【技術分野】
【０００１】  この考案は，写真立て等のスタンドを使用する際，スタンドを支えるため，台紙の裏に，自由に開閉する支脚部を設けることにより，任意の傾きでスタンドを立てることができる，紙質又は樹脂膜片等の板状材を使用した，軽くて，丈夫な内蔵式二重補助支脚を有した簡易スタンドに関するものである。
【背景技術】
【０００２】  従来，写真立て等のスタンドは，木，樹脂製の支脚部を有したものがあった。
【考案が解決しょうとする課題】
【０００３】  これらは，次のような問題点があった。
写真立て等のスタンドは，フレ−ム部と支脚部が別々に作られ，木，樹脂製の支脚部を蝶番でフレ−ム部に取り付けたものが多い。
このため，写真等を立てるだけなのに，必要以上に頑丈な構造になっており，値段も高くなっている。
また，スタンドの裏面がごちゃごちゃしており，後ろや横からみた場合，フレ−ム部と支脚部に一体性がなく，汚い印象が強く，デザイン的にも問題があるように思われる。
本考案は，以上のような欠点をなくし，簡単に，安全に，経済的に使用でき，表からみても，裏や横からみても美しいように考えたものである。
【課題を解決するための手段】
【０００４】（１）厚めと薄めの，少なくとも４枚の紙質又は樹脂膜片等の板状材を貼り合わせて作る開脚可能な支脚部及び支脚部を補強するための内蔵式の二重補助支脚部で構成する簡易スタンドとする。
（２）開脚可能な支脚部を形成するため，（１）の台紙の高さと同等の長さを有する３枚以上の長方形の紙質又は樹脂膜片等の板状材を用意する。
これらの板状材のうち，厚めの少なくとも１枚については支脚部として使用し，また残る薄めの２枚の板状材は，
ため，中間部で二つ折り及び三つ折りにし，支脚部と台紙に接合する。
（３）（２）の長方形の紙質又は樹脂膜片等の板状材のうち，厚めの，少なくとも１枚は，全体長の下からおおよそ５分の３の部分は，支脚部として使用するため，糊付けすることなく，おおよそ５分の２の部分は，台紙に貼りつけるための糊代とする。
また，残る薄めの２枚については，内蔵式の二重補助支脚部とするため，うち１枚は，全体長の２分の１の部分で二つ折りにすることにより，逆Ｖ字型となった帯状の板について，両側面の外側部分を台紙及び支脚部と接合するため，両側面の下からおおよそ３分の２の部分を糊代として使用し，片側は支脚部として使用する板状材に貼りつけ，片側は台紙に貼りつける。
次に，残る１枚は，全体長の２分の１の部分で二つ折りにし，さらに，それぞれを３分の１の部分で折り返すことにより，Ｍ字型となった帯状の板について，逆Ｖ字型となった帯状の板に下部を揃えて貼りつける。
（４）これらにより，台紙と支脚部で形成される支脚部の折曲部分周辺において設ける内蔵式の二重補助支脚部により，糊付けされない遊びの空間が生じ，丈夫でしなやかな支脚部になるとともに，美観にも優れた支脚部が形成される。
【考案を実施するための最良の形態】
【０００５】  以下，本考案を実施するための最良の形態について説明する。
（１）写真等のスタンドを立てる場合，台紙の裏側の支脚部を引き出す。
（２）写真等のスタンドの傾き角度は，支脚部の開きの大小により調節する。内蔵式の二重補助支脚により，一定以上の開脚は防止されるとともに，必要な角度での開脚が保持される。
（３）写真等のスタンドをしまう場合は，支脚部を閉じる。
【考案の効果】
【０００６】  デジカメ，プリンタ−の普及等により，写真の愛好者が増えている。
写真は，撮る楽しみ，見る楽しみ，飾る楽しみ，人にあげる楽しみがあり，そのための器材は整っているが，簡単に，安全に，経済的に使用できるスタンドは見当たらない。
また，ポストカ−ド，絵手紙，絵葉書等も，人気があるものの，簡単に，安全に，経済的に使用できるスタンドは見当たらない。
市販されている各種スタンドは，表面はきれいであっても，裏面をみると，写真等をはめ込むための装置や，複雑な構造をもった支脚部により，凹凸のある雑然としたものが多く，美観を損ねている。
本考案の簡易スタンドは，裏面の帯状の支脚部が開いたり閉じたりする構造で，使用時には，内蔵されている二重式補助支脚に支えられた支脚部が台紙を保持し，また，非使用時には，支脚部が台紙と一体となり，ほぼ平になるなど，デザイン的にも，すっきりしている。
本考案は，写真等を見る楽しみ，飾る楽しみ，人にあげる楽しみを，より大きくするために考えたもので，次のような特徴をもっている。
（１）軽く，薄く，丈夫である。
（２）何回でも使える。
（３）しまったり持ち歩いたり送ったりする際．平らな状態になるので，扱いやすい。また，何枚でも重ねることができる。
（４）安価である。
さらに，この簡易スタンドの応用例としては，
（１）表台紙と支脚部からなる簡易スタンドは，これ自体，目的に合ったサイズのものを用意することにより，表台紙に写真等の展示物を貼りつけ展示することができる。
また，より大きな展示物を展示する場合は，適当なサイズの簡易スタンドを展示物の裏側に貼りつけことにより，展示が可能である。
（２）表台紙に，さらに表示窓等を付けた台紙を貼ったり，透明樹脂板を貼ったり，サイズを変えることにより，大小の写真，ポストカ−ド，プライスカ−ド，メニュ−カ−ド，ネ−ムプレ−ト用としても使用できる。
（３）表台紙の下側に，逆Ｔ字型に重ね折りしてできる適当な大きさの紙を貼りつけることによりできる突起物を写真等の置き台としても利用できる。
（４）この簡易スタンドは，紙を重ね合わせた薄くて軽いものから，厚紙やプラスチック板等をつかった重厚なもの，さらに，表紙部分を木，アルミ等の金属，ガラス等に変えることにより，簡素なスタンドからより高級なスタンドまで，用途に合わせ多種多様な簡易スタンドとすることができる。
（５）この簡易スタンドは，台紙と支脚部から構成されているが，支脚部だけを独立させて使用することも可能である。
▲１▼  同等の長さを有する厚薄４枚の紙質又は樹脂膜片等の板状材を用意し，厚い方の２枚は，表台紙及び支脚部として，また，薄い方の２枚は，この表台紙及び支脚部に内蔵する二重式補助支脚として使用する。
▲２▼  表台紙の裏面には，上部からおおよそ３分の１の高さまでを糊代にとり，支脚部を接合させる。
また，表台紙及び支脚部のそれぞれの裏面に，下部からおおよそ５分の３の高さまでを，補助支脚と接合させるための糊代にとり，補助支脚と貼り合わせる。
▲３▼  表台紙の表面には，適当な大きさの両面テ−プ等のシ−ルを貼る。
▲４▼  このようにして，できあがった１枚の支脚部は，必要に応じて，両面テ−プ等のシ−ルをはがし，展示するものの裏面に貼ることによってフリ−サイズのスタンドとして使用が可能である。
（６）この簡易スタンドに内蔵する二重式補助支脚を応用し，縦位置でも横位置でも使用可能な簡易スタンドも考えられる。
▲１▼  同等の大きさを有する２枚の紙質又は樹脂膜片等の板状材を用意し，うち１枚は表台紙に，うち１枚は裏台紙及び支脚部に使用する。
▲２▼  開脚可能な支脚部を形成するため，裏台紙の下部に，左隅から中心に向かってネクタイ状に２本の直線を，下部辺からおおよそ３分の２の位置まで切り上げることによってできる舌状の切り込み板を，表台紙と貼り合わせることなく，内蔵式の二重補助支脚部を組み込む。
（７）この簡易スタンドに内蔵する二重式補助支脚を応用し，凹凸のない平坦な格納式支脚部を有する簡易スタンドも考えられる。
▲１▼  同等の大きさを有する２枚の紙質又は樹脂膜片等の板状材を用意し，うち１枚は表台紙に，うち１枚は裏台紙及び支脚部として使用する。
▲２▼  開脚可能な支脚部を形成するため，裏台紙の中央部に，上部の一辺から所定の間隔をとった２本の垂線を，下部辺からおおよそ３分の２の位置まで切り上げ，帯状の支脚部とし，二重式補助支脚部を組み込む。
▲３▼  帯状の支脚部を残し，２枚の台紙を貼り合わせる。
（８）この簡易スタンドに内蔵する二重式補助支脚を応用し，表と裏の両面が使用可能な簡易スタンドも考えられる。
▲１▼  適当の大きさの１枚の紙質又は樹脂膜片等の板状材を用意する。
▲２▼  ▲１▼を逆Ｖ字型に二つ折りにし，表と裏の表面を写真等の展示板とするとともに，これ自体開脚可能な支脚部を形成し，内蔵式の二重補助支脚部を組み込む。
【図面の簡単な説明】
【０００７】
【図１】    本考案の簡易スタンドの正面図である。
【図２】    本考案の簡易スタンドの背面図である。
【図３】    本考案の簡易スタンドの側面図である。
【図４】    本考案の簡易スタンドの斜視図である。
【符号の説明】
【０００８】１  台紙
２  支脚部（スタンド）
３  補助支脚部（逆Ｖ字型）
４  補助支脚部（Ｍ字型）
【図１】
0003112973.tif 000003
【図２】
0003112973.tif 000004
【図３】
0003112973.tif 000005
【図４】
0003112973.tif 000006